(57)【要約】【課題】  通信機器の配電盤に設けられているレセプタクルにプラグを介して通信ケーブルを接続した際に、通信機器の通信機能が遮断されるのを防止できるアダプタを提供する。【解決手段】  アダプタ１０は、絶縁体から形成されるアダプタボディ２０と、アダプタボディ２０に設けられる回動手段３０と、回動手段３０に設けられる雄端子４０と、アダプタボディ２０に設けられる雌端子５０とを備えている。雄端子４０と雌端子５０とは、電気的に接続されており、雌端子５０には、通信ケーブル３のプラグ４の雄端子５が電気的に接続され、雄端子４０は、通信機器のレセプタクル２に接続される。回動手段３０によって、雄端子４０と雌端子５０とを、メインボディ２１の長手方向に沿う軸線２１ａに対して略垂直な軸周りに相対的に回動可能に構成している。【選択図】図１
2010021021.tif 000002
【特許請求の範囲】
【請求項１】
通信ケーブルを通信機器のレセプタクルに接続するためのプラグのアダプタであって、
絶縁体から形成されるボディと、
該ボディに設けられるとともに、前記通信機器のレセプタクルに電気的に接続可能な雄端子と、
前記ボディに設けられるとともに、前記雄端子に電気的に接続され、かつ、前記プラグを前記雄端子の前記レセプタクルへの接続方向と略同一方向から電気的に接続可能な雌端子と、
前記雄端子と前記雌端子とを、前記雄端子の前記レセプタクルへの接続方向に対して略垂直な軸周りに相対的に回動可能に連結する回動手段とを備えてなることを特徴とするアダプタ。
【請求項２】
前記回動手段は、前記ボディに、前記雄端子の前記レセプタクルへの接続方向に対して略垂直な軸周りに回動可能に設けられる回動部を備え、
該回動部に前記雄端子が一体に設けられ、前記ボディに前記雌端子が一体に設けられることで、前記雄端子と前記雌端子とが相対的に回動可能に構成されていることを特徴とする請求項１に記載のアダプタ。
【請求項３】
前記ボディには、前記雄端子と前記雌端子とを電気的に接続するとともに、前記雄端子と前記雌端子との相対的な回動を許容する接続端子が設けられていることを特徴とする請求項１又は２に記載のアダプタ。
【請求項４】
前記ボディには、前記プラグの雄端子を前記雌端子に電気的に接続した状態で、前記プラグのボディを支持するプラグ支持部が設けられていることを特徴とする請求項１から３の何れか１項に記載のアダプタ。
【請求項５】
前記プラグ支持部は、前記プラグのボディを嵌合させる溝と、該溝の開口縁部に設けられて、前記プラグのボディの端面に係止される係止爪とから構成されていることを特徴とする請求項４に記載のアダプタ。
【発明の詳細な説明】
【技術分野】
【０００１】
本発明は、通信ケーブルを通信機器のレセプタクルに接続するためのプラグのアダプタに関する。
【背景技術】
【０００２】
従来、地震等によって通信機器間を接続する通信回線に障害が発生し、復旧が長期化することが見込まれるような場合、Ｕコードと称される通信ケーブルを用いて臨時のバイパス通信回線を構成して、通信機能を確保することが行われている。
【０００３】
このようなバイパス通信回線に用いられる通信ケーブルは、ケーブル本体の両端に接続用のプラグを取り付けて構成したものであって、通信機器の配電盤に設けられているレセプタクルにプラグを電気的に接続することにより、臨時のバイパス通信網を構成することができるものである。
【０００４】
また、上記のような通信ケーブルは、複数の通信機器のうち一部が故障した場合において配電盤を介して臨時のバイパス通信回線を構成するときにも用いられ、これにより、点検等のメンテナンスを行うことができる（例えば、特許文献１参照。）。
【特許文献１】実開平０５−０６６８８８号公報
【発明の開示】
【発明が解決しようとする課題】
【０００５】
ところで、上記のような構成の通信ケーブルにあっては、プラグの長さが約４．５ｃｍあるため、通信機器のレセプタクルに接続した場合に、ケーブル本体の曲げ半径を考慮すると、通信機器への接続部は、配電盤の盤面から約７ｃｍ突き出てしまう。
【０００６】
このため、作業者等が誤って通信ケーブルの通信機器への接続部付近（つまりプラグ付近）に接触して、通信ケーブルのプラグが配電盤のレセプタクルから外れてしまうことがあり、臨時のバイパス通信回線による通信機能が遮断されてしまうことがある。
【０００７】
本発明は、上記のような従来の課題に鑑みてなされたものであって、通信機器の配電盤に設けられているレセプタクルにプラグを介して通信ケーブルを接続する場合、配電盤の盤面からのプラグの突出量を小さく抑えることにより、作業者等が通信ケーブルのプラグ付近に接触するのを防止して、通信機器の通信機能が遮断されるのを防止できるアダプタを提供することを目的とする。
【課題を解決するための手段】
【０００８】
上記のような課題を解決するために、本発明は、以下のような手段を採用している。
すなわち、本発明のアダプタは、通信ケーブルを通信機器のレセプタクルに接続するためのプラグのアダプタであって、絶縁体から形成されるボディと、該ボディに設けられるとともに、前記通信機器のレセプタクルに電気的に接続可能な雄端子と、前記ボディに設けられるとともに、前記雄端子に電気的に接続され、かつ、前記プラグを前記雄端子の前記レセプタクルへの接続方向と略同一方向から電気的に接続可能な雌端子と、前記雄端子と前記雌端子とを、前記雄端子の前記レセプタクルへの接続方向に対して略垂直な軸周りに相対的に回動可能に連結する回動手段とを備えてなることを特徴とする。
【０００９】
本発明のアダプタによれば、アダプタの雌端子にプラグの雄端子を電気的に接続し、この状態でアダプタの雄端子を通信機器のレセプタクルに接続することで、アダプタを介してプラグを通信機器のレセプタクルに電気的に接続することができる。
【００１０】
この場合、アダプタの雄端子と雌端子とは、回動手段によって雄端子の通信機器のレセプタクルへの接続方向に対して略垂直な軸周りに相対的に回動可能に連結されているので、アダプタの雄端子を通信機器のレセプタクルに接続した状態で、アダプタの雄端子に対して雌端子を相対的に回動させることにより、アダプタの雌端子と一体にプラグを回動させて、ボディを通信機器のレセプタクルが設けられている盤面に沿わせることができ、該盤面からのプラグの突出量を小さく抑えることができる。
【００１１】
この結果、作業者等が通信ケーブルのプラグ付近に接触するのを防止することができるので、プラグ及びアダプタが通信機器のレセプタクルから抜けるのを防止でき、通信機器の通信機能が遮断されるのを防止できる。
【００１２】
また、本発明のアダプタは、前記回動手段は、前記ボディに、前記雄端子の前記レセプタクルへの接続方向に対して略垂直な軸周りに回動可能に設けられる回動部を備え、該回動部に前記雄端子が一体に設けられ、前記ボディに前記雌端子が一体に設けられることで、前記雄端子と前記雌端子とが相対的に回動可能に構成されていることを特徴とすることとしてもよい。
【００１３】
本発明のアダプタによれば、ボディに一体に設けられた雌端子にプラグの雄端子を電気的に接続し、この状態で回動手段の回動部に一体に設けられるアダプタの雄端子を通信機器のレセプタクルに接続することで、アダプタを介してプラグを通信機器のレセプタクルに電気的に接続することができる。
【００１４】
この場合、アダプタの雄端子と雌端子とは、回動手段の回動部によって雄端子の通信機器のレセプタクルへの接続方向に対して略垂直な軸周りに相対的に回動可能に連結されているので、アダプタの雄端子を通信機器のレセプタクルに接続した状態で、アダプタの雄端子に対して雌端子を回動手段の回動部を介して相対的に回動させることにより、アダプタの雌端子と一体にプラグを回動させることができ、通信機器のレセプタクルが設けられている盤面からのプラグの突出量を小さく抑えることができる。
【００１５】
この結果、作業者等が通信ケーブルのプラグ付近に接触するのを防止することができるので、プラグ及びアダプタが通信機器のレセプタクルから抜けるのを防止でき、通信機器の通信機能が遮断されるのを防止できる。
【００１６】
さらに、本発明のアダプタは、前記ボディには、前記雄端子と前記雌端子とを電気的に接続するとともに、前記雄端子と前記雌端子との相対的な回動を許容する接続端子が設けられていることを特徴とすることとしてもよい。
【００１７】
本発明のアダプタによれば、雄端子と雌端子とを相対的に回動させた場合に、両端子の電気的な接続状態がボディに設けられている接続端子により維持されることになる。
【００１８】
また、本発明のアダプタは、前記ボディには、前記プラグの雄端子を前記雌端子に電気的に接続した状態で、前記プラグのボディを支持するプラグ支持部が設けられていることを特徴とすることとしてもよい。
【００１９】
本発明のアダプタによれば、雄端子がアダプタの雌端子に電気的に接続された状態のプラグは、ボディに設けられたプラグ支持部によって支持されるので、プラグの雄端子がアダプタの雌端子から抜けるのを防止でき、通信機器の通信機能が遮断されるのを防止できる。
【００２０】
さらに、本発明のアダプタは、前記プラグ支持部は、前記プラグのボディを嵌合させる溝と、該溝の開口縁部に設けられて、前記プラグのボディの端面に係止される係止爪とから構成されていることを特徴とすることとしてもよい。
【００２１】
本発明のアダプタによれば、プラグは、プラグ支持部の溝にボディが嵌合された状態で、該ボディの端面に溝の開口縁部の係止爪が係止されるので、プラグの雄端子がアダプタの雌端子から抜けるのをさらに効果的に防止でき、通信機器の通信機能が遮断されるのを防止できる。
【発明の効果】
【００２２】
以上、説明したように、本発明のアダプタによれば、アダプタの雌端子にプラグの雄端子を電気的に接続し、この状態でアダプタの雄端子を通信機器のレセプタクルに接続することで、アダプタを介してプラグを通信機器のレセプタクルに電気的に接続することができる。
【００２３】
この場合、アダプタの雄端子と雌端子とは、回動手段によって雄端子の通信機器のレセプタクルへの接続方向に対して略垂直な軸周りに相対的に回動可能に連結されているので、アダプタの雄端子を通信機器のレセプタクルに接続した状態で、アダプタの雄端子に対して雌端子を相対的に回動させることにより、アダプタの雌端子と一体にプラグを回動させて、ボディを通信機器のレセプタクルが設けられている盤面に沿わせることができ、該盤面からのプラグの突出量を小さく抑えることができる。
【００２４】
従って、作業者等が通信ケーブルのプラグ付近に接触するのを防止することができるので、プラグ及びアダプタが通信機器のレセプタクルから抜けるのを防止でき、通信機器の通信機能が遮断されるのを防止できる。
【００２５】
また、本発明のアダプタによれば、ボディに一体に設けられた雌端子にプラグの雄端子を電気的に接続し、この状態で回動手段の回動部に一体に設けられるアダプタの雄端子を通信機器のレセプタクルに接続することで、アダプタを介してプラグを通信機器のレセプタクルに電気的に接続することができる。
【００２６】
この場合、アダプタの雄端子と雌端子とは、回動手段の回動部によって雄端子の通信機器のレセプタクルへの接続方向に対して略垂直な軸周りに相対的に回動可能に連結されているので、アダプタの雄端子を通信機器のレセプタクルに接続した状態で、アダプタの雄端子に対して雌端子を回動手段の回動部を介して相対的に回動させることにより、アダプタの雌端子と一体にプラグを回動させることができ、通信機器のレセプタクルが設けられている盤面からのプラグの突出量を小さく抑えることができる。
【００２７】
従って、作業者等が通信ケーブルのプラグ付近に接触するのを防止することができるので、プラグ及びアダプタが通信機器のレセプタクルから抜けるのを防止でき、通信機器の通信機能が遮断されるのを防止できる。
【００２８】
さらに、本発明のアダプタによれば、雄端子と雌端子とを相対的に回動させた場合に、両端子の電気的な接続状態がボディに設けられている接続端子により維持されることになるので、両端子を相対的に回動させても、プラグと通信機器のレセプタクルとの電気的な接続状態が損なわれるようなことはない。
【００２９】
また、本発明のアダプタによれば、プラグの雄端子がアダプタの雌端子に電気的に接続された状態のプラグは、ボディに設けられたプラグ支持部によって支持されるので、プラグの雄端子がアダプタの雌端子から抜けるのを防止でき、通信機器の通信機能が遮断されるのを防止できる。
【００３０】
さらに、本発明のアダプタによれば、プラグは、プラグ支持部の溝にボディが嵌合された状態で、このボディの端面に溝の開口縁部の係止爪が係止されるので、プラグの雄端子がアダプタの雌端子から抜けるのをさらに効果的に防止でき、通信機器の通信機能が遮断されるのを防止できる。
【発明を実施するための最良の形態】
【００３１】
以下、図面を参照しながら本発明の実施の形態について説明する。
図１〜図５には、本発明によるアダプタの一実施の形態が示されている。図１は、レセプタクルと通信ケーブルのプラグとアダプタとの位置関係を示す概略斜視図、図２は、図１のプラグが電気的に接続されたアダプタの半断面図、図３は、図２のＡ−Ａ線に沿って見た説明図、図４は、図２及び図３に示すアダプタの雄端子、雌端子、及び接続端子の分解斜視図、図５は、図３のアダプタの雄端子と雌端子とを相対的に回動させた状態を示す説明図である。
【００３２】
すなわち、本実施の形態のアダプタ１０は、通信機器の配電盤１に設けられたレセプタクル２に電気的に接続可能な通信ケーブル３のケーブル本体３ａに取り付けられたプラグ４に用いられるものであって、配電盤１のレセプタクル２にプラグ４を介して通信ケーブル３を接続した際に、作業者等が通信ケーブル３のプラグ４付近に接触するのを防止するのに有効なものである。
【００３３】
なお、本実施の形態においては、Ｕコードと称される通信ケーブルのプラグ（長さが約４．５ｃｍ）を対象としているが、このタイプの通信ケーブルのプラグに限らず、各種の通信ケーブルのプラグに本発明のアダプタを適用することも可能である。
【００３４】
また、本実施の形態では、２極タイプのプラグ４及びレセプタクル２に本発明のアダプタを適用しているが、プラグ４及びレセプタクル２の極数に制限はなく、１極又は３極以上のプラグ４及びレセプタクル２に本発明のアダプタを適用することも可能である。
【００３５】
アダプタ１０は、図１〜図４に示すように、絶縁材から形成されるアダプタボディ２０と、アダプタボディ２０に設けられる回動手段３０と、回動手段３０に設けられる導電材から形成される雄端子４０と、アダプタボディ２０に設けられる導電材から形成される雌端子５０と、アダプタボディ２０に設けられて、雄端子４０と雌端子５０とを電気的に接続する導電材から形成される接続端子６０とを備え、雌端子５０に通信ケーブル３のプラグ４の雄端子５が電気的に接続される。
【００３６】
アダプタボディ２０は、図１〜図３に示すように、略四角柱状のメインボディ２１と、メインボディ２１に一体に設けられるプラグ支持部２５とから構成され、メインボディ２１に回動手段３０が設けられ、プラグ支持部２５によってプラグ４が支持される。
【００３７】
メインボディ２１の長手方向の一端部には、メインボディ２１の長手方向の一端面２２ａ及び両側面２２ｂ、２２ｃが開口し、底面２２ｄが所定の曲率のアール面に形成される略Ｕ形状の空間である凹部２２が設けられ、この凹部２２内に回動手段３０が設けられている。
【００３８】
回動手段３０は、メインボディ２１の凹部２２内に回動可能に設けられる絶縁材から形成される円板状の回動部３１と、回動部３１をメインボディ２１の凹部２２内に回動可能に支持する一対の支持ピン３５、３５とから構成されている。
【００３９】
支持ピン３５は、略円板状の頭部３６と、頭部３６の中心部に一体に設けられる丸棒状の脚部３７とから構成され、脚部３７の軸線がメインボディ２１の長手方向に沿う軸線２１ａに対して略垂直となるように、頭部３６がメインボディ２１側に固定され、この支持ピン３５の脚部３７の先端部３８が凹部２２内の回動部３１の両面３１ａ、３１ａの中心部３２、３２に係合される。
【００４０】
回動部３１は、凹部２２の底面２２ｄの曲率と合致する曲率の円板状に形成されるとともに、両面３１ａ、３１ａの中心部３２、３２に支持ピン３５の脚部３７の先端部３８を係合させる係合穴３３、３３が設けられ、各係合穴３３内に各支持ピン３５の脚部３７の先端部３８を係合させることにより、回動部３１が凹部２２内で支持ピン３５の軸周り（メインボディ２１の軸線２１ａに対して略垂直な軸周り）に回動可能に構成されている。
【００４１】
回動部３１の両面３１ａ、３１ａの中心線上には、一端が回動部３１の周面３１ｂに開口する一対の長方形状の雄端子用溝３４、３４が対向配置され、各雄端子用溝３４内に長方形板状の雄端子４０の基端部４１がそれぞれ嵌合されている。
【００４２】
雄端子４０は、回動部３１の雄端子用溝３４に合致する幅、厚みの長方形板状に形成され、回動部３１の雄端子用溝３４内に基端部４１を嵌合させた状態で、基端部４１を除く部分が回動部３１の周面３１ｂから所定長さ突出するように、全長が設定されている。雄端子４０の回動部３１の周面３１ｂから突出する部分が通信機器のレセプタクル２に図１の矢印Ａ方向から電気的に接続される。
【００４３】
雄端子４０の基端部４１の回動部３１の係合穴３３に対応する部分には、係合穴３３と合致する直径の貫通孔４２が設けられ、この貫通孔４２内を支持ピン３５の脚部３７が貫通した状態で、支持ピン３５の脚部３７の先端部３８を回動部３１の係合穴３３に係合されている。
【００４４】
メインボディ２１の長手方向の他端部には、一対の雌端子用穴２３、２３がメインボディ２１の軸線２１ａを中心として対向配置され、各雌端子用穴２３内にそれぞれ雌端子５０が嵌合されている。各雌端子用穴２３の開口は、プラグ４の雄端子５を雌端子用穴２３内に差し込む際の差込口２４に形成され、この差込口２４からプラグ４の雄端子５を雌端子用穴２３内に図１の矢印Ｂ方向から差し込むことで、プラグ４の雄端子５が雌端子用穴２３内の雌端子５０に電気的に接続される。
【００４５】
雌端子５０は、図２及び図４に示すように、長方形板状をなすものを長手方向の中央部から屈曲させて略コ字状に形成したものであって、屈曲部５１が雌端子用穴２３の底部２３ａに位置するように、雌端子用穴２３内に嵌合されている。
【００４６】
メインボディ２１の凹部２２に沿う部分には、図２及び図３に示すように、導電材から形成される略Ｌ形板状の接続端子６０が埋設され、この接続端子６０の一端部６１に回動部３１側の雄端子４０が電気的に接続され、この接続端子６０の他端部６２に雌端子用穴２３内の雌端子５０が電気的に接続される。
【００４７】
接続端子６０は、一端部６１が凹部２２の内面（回動部３１の両面３１ａ、３１ａに対向する面）の中央部に露出し、この一端部６１に回動部３１側の雄端子４０の基端部４１が電気的に接続され、回動部３１と一体に雄端子４０が回動する際に、雄端子４０の基端部４１と接続端子６０の一端部６１とが相互に摺動接触することにより、両端子（雄端子４０及び接続端子６０）の電気的な接続状態が保たれるようになっている。
【００４８】
接続端子６０の一端部６１には貫通孔６１ａが設けられ、この接続端子６０の貫通孔６１ａ及び雄端子４０の基端部４１の貫通孔４２内を支持ピン３５の脚部３７が貫通し、この状態で支持ピン３５の脚部３７の先端部３８が回動部３１の係合穴３３に係合されている。これにより、接続端子６０と雄端子４０との電気的な接続状態が保たれるとともに、回動部３１及び雄端子４０がメインボディ２１の凹部２２から脱落するのが防止される。
【００４９】
なお、図示はしないが、支持ピン３５の頭部３６と接続端子６０の他端部６２との間にばねを介装し、このばねの付勢力によって接続端子６０の他端部６２を回動部３１側の雄端子４０の方向に付勢し、接続端子６０の一端部６１と雄端子４０との接触状態を保つように構成してもよい。
【００５０】
接続端子６０の他端部６２と雌端子５０の屈曲部５１との間には、導電材から形成されるコ形状の連結金具６３が介装され、接続端子６０の他端部６２側からねじ６４を連結金具６３及び雌端子５０の屈曲部５１を貫通させて、雌端子５０の屈曲部５１の内面側に設けられるナット６５に螺合させて締め付けることにより、接続端子６０と雌端子５０とが電気的に接続されている。
【００５１】
なお、上記の場合、連結金具６３を用いずに、接続端子６０の他端部６２を雌端子５０の屈曲部５１とを、ねじ６４とナット６５とにより、直接に電気的に接続してもよい。
【００５２】
プラグ支持部２５は、メインボディ２１の長手方向の他端に一体に設けられる一対の長方形板状の支持部材２６、２６から構成されるものであって、両支持部材２６、２６間に両側面２７ａ、２７ｂ（凹部２２の両側面２２ｂ、２２ｃと直交する両側面）及び長手方向の端面２７ｃが開口する直方体状の空間である溝２７が設けられ、この溝２７内にプラグ４の直方体状のプラグボディ４ａが嵌合されるようになっている。
【００５３】
各支持部材２６の長手方向の端部（メインボディ２１と反対側の端部）であって溝２７の開口縁部の１つである端面２７ｃには、溝２７の内方に略直角に屈曲された係止爪２８が一体に設けられ、この係止爪２８をプラグボディ４ａの長手方向の他端面４ｂ（雄端子４０と反対側の端面４ｂ）に係止させることにより、溝２７内からプラグボディ４ａが脱落するのが防止され、プラグ４の雄端子５とメインボディ２１の雌端子５０との電気的な接続状態が保たれる。
【００５４】
次に、上記のように構成した本実施の形態によるアダプタ１０の作用について説明する。
まず、アダプタ１０のプラグ支持部２５の溝２７内にプラグ４のプラグボディ４ａを挿入し、プラグボディ４ａ側の一対の雄端子５をアダプタ１０側の一対の雌端子用穴２３、２３内に差込口２４から挿入し、各雌端子用穴２３内の各雌端子５０に各雄端子５を電気的に接続し、プラグ支持部２５の各支持部材２６の係止爪２８をプラグボディ４ａの端面４ｂに係止させ、プラグ支持部２５の溝２７内にプラグボディ４ａを嵌合した状態に保持する。
【００５５】
次に、この状態でアダプタ１０の雄端子４０を通信機器側の配電盤１のレセプタクル２に差し込むことで電気的に接続し、通信ケーブル３によって臨時のバイパス通信回線を構成し、通信機器の通信機能を確保する。
【００５６】
そして、図５に示すように、アダプタ１０の雄端子４０をレセプタクル２に電気的に接続した状態で、アダプタ１０の回動部３１に対してアダプタボディ２０を支持ピン３５の軸周り（図１の回動軸Ｃの軸周り）に相対的に回動させ、それに追従して回動部３１側の雄端子４０とメインボディ２１側の雌端子５０とを相対的に回動させ、アダプタボディ２０を通信機器の配電盤１の盤面１ａに沿わせる。
【００５７】
このようにして、アダプタ１０を介して通信ケーブル３のプラグ４を通信機器のレセプタクル２に電気的に接続することにより、メインボディ２１及びプラグ４の通信機器の配電盤１の盤面１ａからの突出量を小さくすることができる。
【００５８】
上記のように構成した本実施の形態によるアダプタ１０にあっては、通信機器のレセプタクル２に接続される雄端子４０と、通信ケーブル３のプラグ４の雄端子５が接続される雌端子５０とを、回動手段３０によってメインボディ２１の軸線２１ａに対して略垂直な軸周りに相対的に回動可能に構成しているので、雄端子４０を通信機器のレセプタクル２に接続した状態で、雄端子４０に対して雌端子５０を相対的に回動させることにより、雌端子５０が設けられるメインボディ２１及びプラグ４のプラグボディ４ａを通信機器の配電盤１の盤面１ａに沿わせることができる。
【００５９】
従って、プラグ４のプラグボディ４ａが約４．５ｃｍ程度の長さのものであっても、通信機器の配電盤１からの突出量を小さく（アダプタ１０の厚み（約３ｃｍ）程度に）抑えることができるので、作業者等が、通信ケーブル３のプラグボディ４ａを溝２７に嵌合した状態のアダプタ１０付近に接触するようなことはなく、アダプタ１０がレセプタクル２から抜けるのを防止でき、プラグ４がアダプタ１０から抜けるのを防止でき、通信ケーブル３による所望の通信機能を維持することができる。
【図面の簡単な説明】
【００６０】
【図１】本発明による一実施の形態のアダプタの全体を示した斜視図である。
【図２】図１のアダプタにプラグを取り付けた状態の半断面図である。
【図３】図２のＡ−Ａ線に沿って見た説明図である。
【図４】図１のアダプタの雄端子、雌端子、及び接続端子の分解斜視図である。
【図５】図１のアダプタの雄端子と雌端子とを相対的に回動させた状態を示した説明図である。
【符号の説明】
【００６１】
１  配電盤
１ａ  盤面
２  レセプタクル
３  通信ケーブル
３ａ  ケーブル本体
４  プラグ
４ａ  プラグボディ
４ｂ  端面
５  雄端子
１０  アダプタ
２０  アダプタボディ
２１  メインボディ
２１ａ  軸線
２２  凹部
２２ａ  一端面
２２ｂ、２２ｃ  側面
２２ｄ  底面
２３  雌端子用穴
２３ａ  底部
２４  差込口
２５  プラグ支持部
２６  支持部材
２７  溝
２７ａ、２７ｂ  側面
２７ｃ  端面
２８  係止爪
３０  回動手段
３１  回動部
３１ａ  面
３１ｂ  周面
３２  中心部
３３  係合穴
３４  雄端子用溝
３５  支持ピン
３６  頭部
３７  脚部
３８  先端部
４０  雄端子
４１  基端部
４２  貫通孔
５０  雌端子
５１  屈曲部
６０  接続端子
６１  一端部
６１ａ  貫通孔
６２  他端部
６３  連結金具
６４  ねじ
６５  ナット
【図１】
2010021021.tif 000003
【図２】
2010021021.tif 000004
【図３】
2010021021.tif 000005
【図４】
2010021021.tif 000006
【図５】
2010021021.tif 000007